(57)【要約】【課題】  設置作業が楽で効率化と省力化できる誘引放射ユニットを得る。【解決手段】  供給空気のダクト接続部（５）を有すると共に非空調空間（Ｃ）に設置されて供給空気が通り抜ける第１分割部（１）と、仕切部材（７）に形成された貫通口（８）を介して第１分割部（１）に取付けられて混合空気が通り抜ける第２分割部（２）と、を備え、第２分割部（２）は、第１分割部（１）に取付けられる誘引空気誘導用の枠体（１１）と、混合空気の放出及び放射用の放射部（１２）と、を備える。【選択図】図２
2019086206.tif 000002
【特許請求の範囲】
【請求項１】
内部を被空調空間（Ｓ）と非空調空間（Ｃ）とに仕切部材（７）にて仕切った建物の前記被空調空間（Ｓ）から誘引した誘引空気と、供給された空調用の供給空気と、の混合空気を前記被空調空間（Ｓ）へ放出し、かつ前記混合空気の熱を前記被空調空間（Ｓ）に放射する２分割組立構造の誘引放射ユニットであって、
前記供給空気のダクト接続部（５）を有すると共に前記非空調空間（Ｃ）に設置される第１分割部（１）と、前記仕切部材（７）に形成された貫通口（８）を介して前記第１分割部（１）に取付けられる第２分割部（２）と、を備え、
前記第２分割部（２）は、前記第１分割部（１）に取付けられる枠体（１１）と放射部（１２）を、備えたことを特徴とする誘引放射ユニット。
【請求項２】
前記第１分割部（１）は、前記第２分割部（２）の前記枠体（１１）を取付位置に位置決めするための軸部（１７）を、備え、
前記第２分割部（２）の前記枠体（１１）は、前記軸部（１７）と嵌合する溝部（１４）と、前記軸部（１７）と前記溝部（１４）の嵌合状態を保持させる保持具（１５）と、を備えた請求項１記載の誘引放射ユニット。
【請求項３】
前記放射部（１２）は、前記軸部（１７）に前記放射部（１２）を取付け及び取外しするための留め部（１６）を、備え、
前記留め部（１６）は前記軸部（１７）に嵌まって移動を妨げる窪み部（１８）と、前記軸部（１７）から前記窪み部（１８）を外すための逃げ部（１９）と、を備えた請求項２記載の誘引放射ユニット。
【請求項４】
前記第２分割部（２）の前記枠体（１１）を前記第１分割部（１）に固定するプッシュリベット又はプッシュターンリベットの固定具（２０）を、備えた請求項１から３のいずれかに記載の誘引放射ユニット。
【発明の詳細な説明】
【技術分野】
【０００１】
本発明は誘引放射ユニットに関するものである。
【背景技術】
【０００２】
特開２０１１−２１８０８号公報に示す誘引放射ユニットは、ダクトから供給された空調用空気と被空調空間から誘引した空気との混合空気を室内などの被空調空間へ放出しかつ混合空気の熱を被空調空間に放射するものである。これにより、被空調空間に対して温度ムラのない快適空調を行うことができる。誘引放射ユニットは一体構造で、建物の天井懐などの非空調空間に設置し、混合空気を放出及び放射する誘引放射ユニットの部分を、天井板などの仕切部材の貫通口から被空調空間に露出させている。
【先行技術文献】
【特許文献】
【０００３】
【特許文献１】特開２０１１−２１８０８号公報
【発明の概要】
【発明が解決しようとする課題】
【０００４】
従来の誘引放射ユニットは、天井板を施工後に貫通口を形成し、その貫通口から誘引放射ユニット全体を天井懐に挿入し設置していた。その後、狭い天井懐で供給空気のダクトを接続しなければならなかった。そのため、設置作業に手間がかかり重労働となる問題があった。
【課題を解決するための手段】
【０００５】
本発明は上記課題を解決するため、内部を被空調空間と非空調空間とに仕切部材にて仕切った建物の前記被空調空間から誘引した誘引空気と、供給された空調用の供給空気と、の混合空気を前記被空調空間へ放出し、かつ前記混合空気の熱を前記被空調空間に放射する２分割組立構造の誘引放射ユニットであって、前記供給空気のダクト接続部を有すると共に前記非空調空間に設置される第１分割部と、前記仕切部材に形成された貫通口を介して前記第１分割部に取付けられる第２分割部と、を備え、前記第２分割部は、前記第１分割部に取付けられる枠体と放射部を、備えたことを最も主要な特徴とする。
【発明の効果】
【０００６】
請求項１の発明によれば、天井懐などの非空調空間を形成する前（天井板などの仕切部材の施工前）に、障害物の無い開放されたスペースで第１分割部を設置し、供給空気のダクトを接続できる。その後に、第１分割部に第２分割部の枠体を貫通口を介して取付けできるため、設置作業が楽で効率化と省力化を図れる。
【０００７】
請求項２の発明によれば、軸部と溝部を嵌合させるだけで、第１分割部に対して第２分割部を取付位置に簡単に位置決めできる。保持具を利用して第１分割部に第２分割部を仮止めできるため、人手で軸部と溝部の嵌合状態を維持させる必要がなく省人化できる。保持具によって、第１分割部から第２分割部が外れて落下したり倒れたりするのを防止でき、安全性に優れる。
【０００８】
請求項３の発明によれば、留め部を用いて枠体に放射部を簡単に取付け及び取外しでき、組付作業が楽になる。軸部を、枠体の位置決め及び仮止めと、放射部の取付けと、に兼用でき、かつ軸部と窪み部と逃げ部だけの簡単な構造のため、製作コストを抑えられる。
【０００９】
請求項４の発明によれば、固定具がプッシュリベット又はプッシュターンリベットのため、ドライバーなどの工具が不要で、第１分割部と第２分割部の固定作業が迅速に行える。
【図面の簡単な説明】
【００１０】
【図１】本発明の誘引放射ユニットの天井設置状態の斜視図である。
【図２】誘引放射ユニットを分割した状態の斜視図である。
【図３】第１分割部に枠体を取付けた状態の断面図である。
【図４】第１分割部と枠体に放射部を取付けた状態の断面図である。
【図５】誘引放射ユニットの平面図である。
【図６】図５のＸ−Ｘ断面図である。
【発明を実施するための形態】
【実施例１】
【００１１】
図１から図６は、２分割組立構造である本発明の誘引放射ユニットを示し、供給された空調用の供給空気と、被空調空間Ｓから誘引した誘引空気と、の混合空気を被空調空間Ｓへ放出し、かつ混合空気の熱を被空調空間Ｓに放射する。この誘引放射ユニットは、誘引空気及び供給空気が通り抜ける第１分割部１と、誘引空気及び混合空気が通り抜ける第２分割部２と、を備えている。
【００１２】
第１分割部１は、ケーシング３、空気供給部４及びダクト接続部５を備えている。ダクト接続部５は、ダクト６を介して図示省略の空調機の吹出口に接続する。ケーシング３は、非空調空間Ｃに設置された状態において仕切部材７の貫通口８と向かい合う開口端部９を、有している。第２分割部２は、貫通口８を介して第１分割部１に取付ける。図例では、建物の内部を、室内の被空調空間Ｓと天井懐の非空調空間Ｃとに天井板の仕切部材７によって仕切っている。貫通口８は天井板の仕切部材７に形成する。
【００１３】
第２分割部２は、第１分割部１の開口端部９に取付けられる鍔付きの枠体１１と、枠体１１の内側に配置される放射部１２と、を備えている。第１分割部１は、枠体１１を取付位置に位置決めするための軸部１７を、備えている。第２分割部２の枠体１１は、軸部１７と嵌合する溝部１４と、軸部１７と溝部１４の嵌合状態を保持させる保持具１５と、を備えている。
【００１４】
放射部１２は、軸部１７に放射部１２を取付け及び取外しするための留め部１６を、備えている。留め部１６は、軸部１７に嵌まって移動を妨げる窪み部１８と、軸部１７から窪み部１８を外すための逃げ部１９と、を備えている。
【００１５】
図例では、ケーシング３の対向する内壁の一方と他方から軸部１７を内側へ各々一対突出させている。軸部１７はボルトなどを用いる。第２分割部２の枠体１１を第１分割部１に固定する固定具２０は、プッシュリベット又はプッシュターンリベットを用いる。第１分割部１のケーシング３と第２分割部２の枠体１１は、固定具２０を通す穴部２４を備える。
【００１６】
以下、誘引放射ユニットの設置方法の一例を説明する。天井板の仕切部材７の施工前に、第１分割部１の開口端部９を室内の被空調空間Ｓに向けた状態にて、天井スラブなどに第１分割部１のケーシング３を吊りボルト１０で固定し、第１分割部１のダクト接続部５にダクト６を接続する。その後、天井板の仕切部材７を施工し、第１分割部１の開口端部９に合わせて貫通口８を形成する。
【００１７】
次に、図３（空気供給部４等は図示省略）に示すように、第２分割部２の枠体１１を貫通口８から挿入し、第１分割部１の軸部１７に枠体１１の溝部１４を嵌め込んで、保持具１５にて枠体１１が落下しないように仮止めする。第２分割部２の枠体１１の鍔部を仕切部材７に接触させて貫通口８を隠した状態にて、第２分割部２の枠体１１を第１分割部１のケーシング３に固定具２０で固定する。
【００１８】
図例では、溝部１４は、軸部１７に合わせて対向するように枠体１１の対向壁２１に、各々一対設けている。保持具１５は、搖動することで溝部１４に軸部１７を閉じ込めた状態に保持できるようになっている。図例では、保持具１５をロック可能な搖動片にて構成しているが閂、その他の開閉及びロック可能な金具類を用いても良い。
【００１９】
次に、図４（空気供給部４等は図示省略）に示すように、枠体１１の内側に放射部１２を挿入し、留め部１６の逃げ部１９を介して軸部１７に窪み部１８を嵌めて、放射部１２を動かないように留める。これにより、誘引放射ユニットが組立状態となる。
【００２０】
放射部１２は、軸部１７から窪み部１８を出して逃げ部１９から抜き出すことで外すことができる。留め部１６は、放射部１２の両端から突出する対向片２３に、半円状の窪み部１８と、窪み部１８に連なって開口する逃げ部１９と、を形成して構成する。図例では、留め部１６は、軸部１７に合わせて対向するように放射部１２の対向片２３に、各々一対設ける。
【００２１】
図５と図６に示すように、組立状態の誘引放射ユニットは、空気供給部４、空気誘引部２５、放射部１２及び空気浄化部２６を、備える。各図の太い点線の矢印は空気の流れる方向を示す。供給空気は空気供給部４から放射部１２へ噴流し、噴流した供給空気の誘引作用で空気誘引部２５を介して被空調空間Ｓの空気を誘引する。供給空気と誘引空気は混ざり合って放射部１２から被空調空間Ｓへ出つつ、供給空気と誘引空気の混合空気の熱を放射部１２から被空調空間Ｓへ放射する。
【００２２】
空気供給部４は、ライン状のノズル２７を備え、外部から送り込まれた供給空気がノズル２７から放射部１２へ向かって噴流する。空気誘引部２５は、ライン状の誘引口２８を一対有し、空気供給部４から出た噴流空気の誘引作用にて被空調空間Ｓの空気を誘引口２８から放射部１２へ引き込む。
【００２３】
放射部１２は、ライン状の吸引口２９と多数の放出穴３０とプレート３２の群とを備え、空気供給部４の噴流空気と空気誘引部２５の誘引空気との混合空気を被空調空間Ｓへ放出しかつ混合空気の熱を被空調空間Ｓへ放射する。プレート３２の群は、熱伝達及び熱放射率が高いアルミ等の板材を間を隔てて配置して構成する。このプレート３２の群を混合空気が分流拡散しながら整流状に通過して放出穴３０から被空調空間Ｓへ出る。混合空気の熱はプレート３２の群に熱伝達し、放出穴３０から被空調空間Ｓへ放射する。
【００２４】
空気浄化部２６は、被浄化物質を化学反応で浄化するプラス電荷とマイナス電荷のイオン、ヒドロキシラジカル、スーパーオキサイド、スーパーオキサイドアニオン、オゾンなどの活性種のうちの少なくとも１つの浄化物質を、生成する。浄化物質は、被空調空間Ｓに浮遊する煙、臭気、菌類、ウィルス、アレルゲンなどの被浄化物質を、酸化などの化学反応により消煙、消臭、除菌、不活性化させて無効化し浄化する。なお、浄化物質は上述以外の物質でもよい。
【００２５】
空気浄化部２６は、生成ユニット３３と吹出ユニット３１を備えている。生成ユニット３３は、空気を放電にてプラズマ状態にして被浄化物質を帯電させるイオンなどの上述の浄化物質を生成する。このプラズマ中の電子によって空気中の酸素や水が分解されて、オゾンなどの活性種やイオンなどが生成される。プラズマ状態にする放電方式としては、コロナ放電、バリア放電、沿面放電、アーク放電、マイクロ波放電、パルス放電など各種方式を適宜用いる。これらの方式を用いたプラズマ発生装置で生成ユニット３３を構成する。
【００２６】
吹出ユニット３１は、放射部１２の混合空気の一部を利用して浄化物質を被空調空間Ｓへ吹出すように放射部１２に隣接して設ける。放射部１２は、放射部１２の内部から吹出ユニット３１の内部へ通り抜けるように設けられた吹出穴部３４を、有している。吹出穴部３４は、放射部１２の混合空気の一部が吹出穴部３４を通過することで風速が増加するような通風断面積に構成する。生成ユニット３３は吹出ユニット３１の内部に設ける。吹出穴部３４を通過して増速した混合空気は、吹出ユニット３１の内部に流れ込んで浄化物質を伴って被空調空間Ｓへ吹出される。
【００２７】
なお、本発明は上述の実施例に限定されない。図例では建物内部の天井部を仕切って天井懐の非空調空間Ｃに誘引放射ユニットを設置したが、建物内部の天井部と側壁のコーナー部を仕切って横長のコーナー空洞部の非空調空間Ｃに誘引放射ユニットを設置する場合や、建物内部の側壁と側壁のコーナー部を仕切って縦長のコーナー空洞部の非空調空間Ｃに誘引放射ユニットを設置する場合にも本発明は適用可能である。軸部１７と溝部１４の嵌合構造と、軸部１７と窪み部１８の嵌合構造の変更や軸部１７、溝部１４、窪み部１８、逃げ部１９の数の増減は自由である。
【符号の説明】
【００２８】
１      第１分割部
２      第２分割部
５      ダクト接続部
７      仕切部材
８      貫通口
１１    枠体
１２    放射部
１４    溝部
１５    保持具
１６    留め部
１８    窪み部
１９    逃げ部
２０    固定具
Ｃ      非空調空間
Ｓ      被空調空間
【図１】
2019086206.tif 000003
【図２】
2019086206.tif 000004
【図３】
2019086206.tif 000005
【図４】
2019086206.tif 000006
【図５】
2019086206.tif 000007
【図６】
2019086206.tif 000008
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
内部を被空調空間（Ｓ）と非空調空間（Ｃ）とに仕切部材（７）にて仕切った建物の前記被空調空間（Ｓ）から誘引した誘引空気と、供給された空調用の供給空気と、の混合空気を前記被空調空間（Ｓ）へ放出し、かつ前記混合空気の熱を前記被空調空間（Ｓ）に放射する２分割組立構造の誘引放射ユニットであって、
前記供給空気のダクト接続部（５）を有すると共に前記非空調空間（Ｃ）に設置される第１分割部（１）と、前記仕切部材（７）に形成された貫通口（８）を介して前記第１分割部（１）に取付けられる第２分割部（２）と、を備え、
前記第２分割部（２）は、前記第１分割部（１）に取付けられる枠体（１１）と放射部（１２）を、備え、
前記第１分割部（１）は、前記第２分割部（２）の前記枠体（１１）を取付位置に位置決めするための軸部（１７）を、備え、
前記第２分割部（２）の前記枠体（１１）は、前記軸部（１７）と嵌合する溝部（１４）と、前記軸部（１７）と前記溝部（１４）の嵌合状態を保持させる保持具（１５）と、を備え、
前記放射部（１２）は、前記軸部（１７）に前記放射部（１２）を取付け及び取外しするための留め部（１６）を、備え、
前記留め部（１６）は前記軸部（１７）に嵌まって移動を妨げる窪み部（１８）と、前記軸部（１７）から前記窪み部（１８）を外すための逃げ部（１９）と、を備えたことを特徴とする誘引放射ユニット。
【請求項２】
前記第２分割部（２）の前記枠体（１１）を前記第１分割部（１）に固定するプッシュリベット又はプッシュターンリベットの固定具（２０）を、備えた請求項１記載の誘引放射ユニット。
【手続補正２】
【補正対象書類名】明細書
【補正対象項目名】０００６
【補正方法】変更
【補正の内容】
【０００６】
請求項１の発明によれば、天井懐などの非空調空間を形成する前（天井板などの仕切部材の施工前）に、障害物の無い開放されたスペースで第１分割部を設置し、供給空気のダクトを接続できる。その後に、第１分割部に第２分割部の枠体を貫通口を介して取付けできるため、設置作業が楽で効率化と省力化を図れる。
軸部と溝部を嵌合させるだけで、第１分割部に対して第２分割部を取付位置に簡単に位置決めできる。保持具を利用して第１分割部に第２分割部を仮止めできるため、人手で軸部と溝部の嵌合状態を維持させる必要がなく省人化できる。保持具によって、第１分割部から第２分割部が外れて落下したり倒れたりするのを防止でき、安全性に優れる。
留め部を用いて枠体に放射部を簡単に取付け及び取外しでき、組付作業が楽になる。軸部を、枠体の位置決め及び仮止めと、放射部の取付けと、に兼用でき、かつ軸部と窪み部と逃げ部だけの簡単な構造のため、製作コストを抑えられる。
【手続補正３】
【補正対象書類名】明細書
【補正対象項目名】０００７
【補正方法】変更
【補正の内容】
【０００７】
請求項２の発明によれば、固定具がプッシュリベット又はプッシュターンリベットのため、ドライバーなどの工具が不要で、第１分割部と第２分割部の固定作業が迅速に行える。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】